(57)【要約】【課題】音を選択してプレビュー再生する場合の操作を簡素化する。【解決手段】表示デバイス(５)と、物体のタッチ位置と近接位置とを区別して表す検出信号を出力すると共に、上記表示デバイス(５)と共にタッチパネル(１)を構成する位置入力デバイス(６)と、音出力部(３)と、音響データを記憶する記憶部(２)と、上記表示デバイス(５)に音の一覧を表示する制御部(４)とを備え、上記制御部(４)は、さらに、上記一覧の何れかの項目の表示領域に近接した検出信号を受けた場合には、当該項目をフォーカス遷移してフォーカス表示し、上述の状態を設定時間維持している検出信号を受けた場合には、当該項目の音のプレビュー再生を行う。こうして、上記プレビュー再生する毎にタッチパネル(１)にタッチする必要がなく、音を選択してプレビュー再生する場合の操作を簡素化できる。【選択図】図１
2015014920.tif 000002
【特許請求の範囲】
【請求項１】
少なくとも、出力可能な音の一覧を表示する表示デバイスと、
表面に対する物体によるタッチおよび近接を検出してタッチ位置と近接位置とを区別して表す検出信号を出力すると共に、上記表示デバイス上に積層されて上記表示デバイスと共に表示機能と入力機能とを有するタッチパネルを構成する透明な位置入力デバイスと、
着信音およびアラーム音を含む音を出力する音出力部と、
上記音の音響データを記憶する記憶部と、
上記表示デバイスに上記一覧を表示させると共に、上記位置入力デバイスからの上記検出信号に基づいて、上記一覧における指示項目を特定してフォーカス遷移およびプレビュー再生を行う制御部と
を備え、
上記制御部は、
上記一覧の項目のうちの何れかの項目の表示領域に対して上記物体が予め定められた設定距離以内に近接したことを表す検出信号を受けた場合には、当該項目を上記指示項目としてフォーカス遷移すると共に、上記表示デバイスを制御して、当該項目の表示領域の表示形態を変更してフォーカス表示を行い、
さらに、上記当該項目の表示領域に対して上記物体を上記設定距離以内に近接させた状態を、予め定められた設定時間以上維持していることを表す検出信号を受けた場合には、上記記憶部に記憶された音響データに基づいて、上記音出力部を制御して当該項目の音のプレビュー再生を行う
ようになっている
ことを特徴とする携帯情報端末装置。
【請求項２】
請求項１に記載の携帯情報端末装置において、
上記制御部は、上記フォーカス表示あるいは上記プレビュー再生を行っている場合に、上記物体を上記当該項目の表示領域との距離を維持した状態で上記一覧上を他の項目の表示領域まで平行移動させたことを表す検出信号を受けた場合には、上記当該項目に関する上記プレビュー再生の停止あるいは上記フォーカス表示の非表示を行い、且つ上記他の項目に関するフォーカス遷移およびフォーカス表示を行うようになっている
ことを特徴とする携帯情報端末装置。
【請求項３】
請求項２に記載の携帯情報端末装置において、
上記制御部は、上記他の項目の表示領域に対して上記物体を上記設定距離以内に近接させた状態が上記設定時間以上維持されていることを表す検出信号を受けた場合には、上記他の項目の音のプレビュー再生を行うようになっている
ことを特徴とする携帯情報端末装置。
【請求項４】
請求項１から請求項３までの何れか一つに記載の携帯情報端末装置において、
上記制御部は、上記プレビュー再生を行っている場合に、上記物体と上記位置入力デバイスとの距離が変化されたことを表す検出信号を受けた場合には、上記音出力部を制御して、上記変化された後の上記物体と上記位置入力デバイスとの距離に応じて、上記プレビュー再生の音量を変更するようになっている
ことを特徴とする携帯情報端末装置。
【請求項５】
請求項１から請求項４までの何れか一つに記載の携帯情報端末装置において、
上記制御部は、上記プレビュー再生を行っている場合に、上記一覧における上記プレビュー再生が行われている音の項目の表示領域に対して上記物体がタッチしたことを表す検出信号を受けた場合には、上記プレビュー再生が行われている音を所望の音として決定するようになっている
ことを特徴とする携帯情報端末装置。
【発明の詳細な説明】
【技術分野】
【０００１】
この発明は、着信音等の音の設定を変更可能な携帯情報端末装置に関する。
【背景技術】
【０００２】
スマートフォン等のタッチパネルを搭載した携帯情報端末(ＰＤＡ：Personal Digital Assistants)では、表示デバイスと透明な位置入力デバイスとが積層されて表示機能と入力機能とを有するタッチパネルの画面上にタッチすることによって、タッチされた画像に対応した処理が実行されるようになっている。そして、電話やメールや通信文等の着信音を、タッチパネルの操作によって変更する機能を有するものがある。
【０００３】
このような上記タッチパネルの操作による着信音の変更方法として、http://nanapi.jp/72123/に開示された「iPhone5の着信音を変える方法(非特許文献１)」がある。この着信音を変える方法では、先ず、設定アプリケーションの表示画面から着信音の一覧を表示させ、タップ操作によって好きな音を選択する。そうすると、選択音のプレビュー再生を行った後、着信音として決定する。また、選択音(プレビュー再生音)を変える場合には他の音をタップする。
【０００４】
しかしながら、上記従来の着信音を変える方法においては、着信音を選択してプレビュー再生により確認する毎にタッチパネルに対してタップ操作を行う必要があるために、所望の着信音が得られるまでタップ操作を繰り返す必要があり、不便であるという問題がある。
【先行技術文献】
【非特許文献】
【０００５】
【非特許文献１】「iPhone5の着信音を変える方法」http://nanapi.jp/72123/
【発明の概要】
【発明が解決しようとする課題】
【０００６】
そこで、この発明の課題は、音を選択してプレビュー再生する場合の操作を簡素化できる携帯情報端末装置を提供することにある。
【課題を解決するための手段】
【０００７】
上記課題を解決するため、この発明の携帯情報端末装置は、
少なくとも、出力可能な音の一覧を表示する表示デバイスと、
表面に対する物体によるタッチおよび近接を検出してタッチ位置と近接位置とを区別して表す検出信号を出力すると共に、上記表示デバイス上に積層されて上記表示デバイスと共に表示機能と入力機能とを有するタッチパネルを構成する透明な位置入力デバイスと、
着信音およびアラーム音を含む音を出力する音出力部と、
上記音の音響データを記憶する記憶部と、
上記表示デバイスに上記一覧を表示させると共に、上記位置入力デバイスからの上記検出信号に基づいて、上記一覧における指示項目を特定してフォーカス遷移およびプレビュー再生を行う制御部と
を備え、
上記制御部は、
上記一覧の項目のうちの何れかの項目の表示領域に対して上記物体が予め定められた設定距離以内に近接したことを表す検出信号を受けた場合には、当該項目を上記指示項目としてフォーカス遷移すると共に、上記表示デバイスを制御して、当該項目の表示領域の表示形態を変更してフォーカス表示を行い、
さらに、上記当該項目の表示領域に対して上記物体を上記設定距離以内に近接させた状態を、予め定められた設定時間以上維持していることを表す検出信号を受けた場合には、上記記憶部に記憶された音響データに基づいて、上記音出力部を制御して当該項目の音のプレビュー再生を行う
ようになっている
ことを特徴としている。
【発明の効果】
【０００８】
以上より明らかなように、この発明の携帯情報端末装置は、上記記憶部に記憶された音をプレビュー再生させる毎に、上記タッチパネルに対して指やペンでなる上記物体をタッチさせる必要がない。したがって、音を選択(確認)する毎にタップする必要がある上記従来の着信音の変更方法に比べて、音を選択してプレビュー再生する場合の操作を簡素化することができる。
【０００９】
さらに、上記音のプレビュー再生を停止する場合には、上記物体を上記タッチパネルの表面から離すだけでよい。したがって、タップ操作を行なう必要がある上記従来の着信音の変更方法に比べて、上記物体の移動量を少なくすることができる。
【図面の簡単な説明】
【００１０】
【図１】この発明の携帯情報端末装置における音の変更に関する機能ブロック図である。
【図２】制御部の制御の下に実行される音設定処理動作のフローチャートである。
【図３】フォーカス遷移,プレビュー再生,フォーカス解消時の操作と表示とを示す図である。
【図４】指の平行移動,フォーカス遷移,プレビュー再生時の操作と表示とを示す図である。
【図５】着信音決定時の操作と表示とを示す図である。
【図６】図２とは異なる音設定処理動作のフローチャートである。
【図７】フォーカス遷移,指の平行移動,プレビュー再生,フォーカス解消時の操作と表示とを示す図である。
【図８】プレビュー再生の音量上げ,音量下げ時の操作と表示とを示す図である。
【図９】アラーム音決定時の操作と表示とを示す図である。
【発明を実施するための形態】
【００１１】
以下、この発明を図示の実施の形態により詳細に説明する。
【００１２】
・第１実施の形態
図１は、本実施の形態の携帯情報端末装置における着信音やアラーム音等の音の変更に関する機能構成を示すブロック図である。図１において、本携帯情報端末装置は、タッチパネル１,記憶部２,音出力部３および制御部４を備えている。
【００１３】
上記タッチパネル１は、表示機能と入力機能とを有するもので、例えばＬＣＤ(Liquid Crystal Display：液晶ディスプレイ)パネル等の表示デバイス５と透明の位置入力デバイス６とが積層されて構成され、表示デバイス５の表示内容が位置入力デバイス６を通して見えるようになっている。そして、表示デバイス５には、後に詳述するように、入力ガイド等が表示される。
【００１４】
ここで、本実施の形態においては、上記位置入力デバイス６は、例えばマトリクス状に配列された赤外線センサ等が設けられた表面に対する指やペン等によるタッチの他に、指やペン等による所定の距離以内までの近接を検出可能になっている。そして、指やペン等によるタッチ位置と近接位置とを区別して表す検出信号を出力可能になっている。尚、上記指やペンは、上記物体の一例である。
【００１５】
上記記憶部２には、各種機能を実行するためのプログラムやデータ情報を記憶する。ここで、上記プログラムの一つとして音設定アプリケーション記憶部７に記憶されている音設定アプリケーションが含まれている。また、上記データ情報の一例として、音出力部３によって出力される各種音の音響データが記憶されている。
【００１６】
その他、詳細には言及はしないが、通話用マイク、通話用スピーカ、例えば電源キー等のソフトキー以外のキーでなる操作キー、無線装置を介してプロバイダ等と信号を送受する通信部、この通信部を介して受信した情報を加工して表示する情報処理部等が設けられている。
【００１７】
上記制御部４は、上記タッチパネル１,記憶部２および音出力部３を制御して、着信音やアラーム音等を設定する音設定処理動作を実行する。さらに、上記音設定処理動作の他に、他のアプリケーションによる処理,演算・判断処理,計時処理および入出力処理等の各種の処理動作をも行うようにしても構わない。
【００１８】
図２は、上記制御部４の制御の下に、上記音設定アプリケーションに従って実行される音設定処理動作のフローチャートである。以下、図２に従って、音設定処理動作について詳細に説明する。
【００１９】
上記制御部４によって、音設定アプリケーション記憶部７に記憶されている音設定アプリケーションが起動され、タッチパネル１の表示画面に着信音の一覧が表示されると、音設定処理動作がスタートする。
【００２０】
ステップＳ1で、上記位置入力デバイス６からの検出信号に基づいて、操作者の指が、タッチパネル１に一覧表示されている着信音の何れかの項目の表示領域に近付けられているか否かが判別される。その結果、近付いている場合にはステップＳ2に進む。ステップＳ2で、指が近付けられている項目(着信音)がフォーカス遷移される。さらに、表示デバイス５が制御されて、当該項目の表示領域における上記表示形態の一例としての表示色や明度や照度や点滅等(以下、表示色で代表する)が変更されて、当該項目がフォーカス遷移されていることが表示される。
【００２１】
ステップＳ3で、上記タッチパネル１上における当該項目の表示領域に近付けられた指が、当該項目の表示領域から外れたか否かが判別される。その結果、外れた場合にはステップＳ9に進み、外れていない場合にはステップＳ4に進む。ステップＳ4で、タッチパネル１における当該項目の表示領域に近付けられた指が、予め設定されたｔ1秒間だけその状態(距離)を維持しているか否かが判別される。その結果、ｔ1秒間維持されている場合にはステップＳ5に進み、そうでなければ上記ステップＳ3にリターンする。
【００２２】
ステップＳ5で、上記記憶部２に記憶されている音響データに基づいて音出力部３が制御されて、指が上記ｔ秒間近付けられている当該項目の着信音がプレビュー再生される。ステップＳ6で、位置入力デバイス６からの検出信号に基づいて、使用者の指で当該項目がタッチ操作されたか否かが判別される。その結果、タッチ操作された場合にはステップＳ7に進み、そうでなければステップＳ10に進む。
【００２３】
ステップＳ7で、上記ステップＳ5において開始された当該項目の着信音のプレビュー再生が停止される。ステップＳ8で、プレビュー再生が停止された当該項目の着信音が、所望の着信音として決定される。そうした後、音設定処理動作が終了される。
【００２４】
ステップＳ9で、当該項目のフォーカスが解消されると共に、当該項目の表示領域の表示色が元に戻されて、フォーカスが非表示状態となる。そうした後に、上記ステップＳ1にリターンして使用者の指が近付くのを待つ。
【００２５】
ステップＳ10で、上記タッチパネル１上における当該項目の表示領域に近付けられた指が、当該項目の表示領域から離れたか否かが判別される。その結果、離れた場合にはステップＳ11に進み、離れていない場合には上記ステップＳ6にリターンする。ステップＳ11で、上記ステップＳ5において開始された当該項目の着信音のプレビュー再生が停止される。そうした後、上記ステップＳ9に進む。
【００２６】
そして、上記ステップＳ8において所望の着信音が決定されると、音設定処理動作が終了される。
【００２７】
以下、具体例を上げて、上記音設定処理動作を更に詳細に説明する。
【００２８】
図３〜図５は、上記タッチパネル１における表示デバイス５に表示された着信音の一覧に対する操作者の具体的な操作例を示す。以下、図２および図３〜図５に従って、上記音設定処理動作を具体的に説明する。
【００２９】
図３(a)に示すように、上記タッチパネル１の上記表示デバイス５には、「着信音１」〜「着信音７」のごとく、着信音の一覧が表示されている。その状態において、図３(b)に示すように、操作者が「着信音１」の表示領域に指を近付ける。そうすると、図２に示す音設定処理動作のステップＳ1〜Ｓ5により、「着信音１」の表示領域に指を近付けたことが検知され、「着信音１」がフォーカス遷移されて、「着信音１」の表示領域の表示色が変更される。さらに、指の位置をそのままｔ1秒間維持すると、図３(c)に示すように、「着信音１」の着信音がプレビュー再生される。
【００３０】
ここで、図３(b)および図３(c)に描かれている「指を立てている手」の図は、指を画面に近付ける操作を示すための説明図であり、実際に表示デバイス５の表示画面に表示されるものではない。
【００３１】
図３(c)に示す状態で、図３(d)に示すように、操作者が「着信音１」の表示領域から指を離す。そうすると、図２に示す音設定処理動作のステップＳ6,Ｓ10,Ｓ11,Ｓ9により、「着信音１」の表示領域から指が離れたことが検知されて、「着信音１」のプレビュー再生が停止され、「着信音１」のフォーカスが解消され、「着信音１」の表示領域の表示色が元に戻される。
【００３２】
また、図３(c)と同じ図４(a)に示す状態で、図４(b)に示すように、操作者が指を平行移動させて「着信音２」の表示領域に位置させる。そうすると、図２に示す音設定処理動作のステップＳ6,Ｓ10,Ｓ11,Ｓ9,Ｓ1,Ｓ2によって、「着信音２」の表示領域に指が位置することが検知され、「着信音２」がフォーカス遷移されて、「着信音２」の表示領域の表示色が変更される。さらに、図４(c)および図４(d)に示すように、操作者が指を平行移動させて、順次、「着信音３」→「着信音４」の表示領域に位置させると、図２に示す音設定処理動作のステップＳ3,Ｓ9,Ｓ1,Ｓ2によって、指の位置が「着信音３」を経由して「着信音４」の表示領域に至ったことが検知され、「着信音３」および「着信音４」が順次フォーカス遷移されて「着信音３」および「着信音４」の表示色が順次変更される。
【００３３】
図４(d)に示す状態で、操作者が指の位置をそのままｔ1秒間維持すると、図２に示す音設定処理動作のステップＳ3〜Ｓ5によって、図４(e)に示すように、「着信音４」の着信音がプレビュー再生される。
【００３４】
図４(e)に示す状態で、図５(a)に示すように、操作者が指を「着信音４」の表示領域にタッチさせる。そうすると、図２に示す音設定処理動作のステップＳ6〜Ｓ8により、「着信音４」の表示領域が指でタッチされたことが検知され、「着信音４」のプレビュー再生が停止される。そして、図５(b)に破線で示すように、「着信音４」を所望の着信音として決定したことが、他の条件項目と共に表示される。
【００３５】
ここで、図５(a)に描かれている「指」の図は、指のタッチ操作を示すための説明図であり、実際に表示デバイス５の表示画面に表示されるものではない。
【００３６】
以上のごとく、本実施の形態においては、タッチパネル１,記憶部２,音出力部３および制御部４を備え、タッチパネル１は、表示デバイス５と透明の位置入力デバイス６とが積層されている。そして、位置入力デバイス６は、指やペン等による所定の距離以内までの近接を検出可能になっており、指やペン等によるタッチ位置と近接位置とを区別して表す検出信号を出力可能になっている。
【００３７】
上記制御部４は、上記タッチパネル１の表示デバイス５に着信音の一覧を表示している状態で、操作者が一覧表示されている着信音項目の何れかの項目の表示領域に指を近付けると、当該項目(着信音)をフォーカス遷移して、当該項目の表示領域の表示色を変更させる。さらに、操作者が指を平行移動させて、順次他の項目の表示領域に位置させると、指が位置した項目を順次フォーカス遷移して、表示色を順次変更させる。
【００３８】
そして、ある項目の位置で指がタッチパネル１の表面への近接した状態がｔ1秒間以上維持されると、当該項目の着信音をプレビュー再生する。こうして、着信音がプレビュー再生されている項目の表示領域に操作者の指がタッチされると、当該項目の着信音を所望の着信音として決定するようになっている。
【００３９】
したがって、上記着信音をプレビュー再生させる毎に、タッチパネル１に対してタッチする必要がなく、着信音を選択(確認)する毎にタッチ(タップ)する必要がある上記従来の着信音の変更方法に比べて、着信音をプレビュー再生する場合の操作を簡素化することができる。
【００４０】
また、上記プレビュー再生音を停止する場合においても、上記従来の着信音の変更方法においてはタッチ(タップ)操作を行なっているが、本実施の形態においては指やペンをタッチパネル１の表示画面から離すだけでよく、指の移動量を少なくすることができる。
【００４１】
・第２実施の形態
本実施の形態は、音の変更に加えて音量も変更可能にするものである。尚、本実施の形態における携帯情報端末装置の機能構成は、上記第１実施の形態における図１に示す機能ブロック図と同様である。したがって、以下の説明においては、必要に応じて、図１に示す機能ブロック図の番号を用いる。
【００４２】
本実施の形態においては、上記位置入力デバイス６は、指やペン等による近接検出の際の閾値を複数有しており、指やペン等による近接位置を表す検出信号を出力する際に、上記閾値に応じた近接位置を表す検出信号を出力可能になっている。
【００４３】
図６は、上記制御部４の制御の下に、上記音設定アプリケーションに従って実行される音設定処理動作のフローチャートである。以下、図６に従って、本実施の形態における音設定処理動作について詳細に説明する。
【００４４】
上記制御部４により、音設定アプリケーション記憶部７に記憶されている音設定アプリケーションが起動され、タッチパネル１の表示画面にアラーム音の一覧が表示されると、音設定処理動作がスタートする。
【００４５】
ステップＳ21〜Ｓ25で、図２に示す上記第１実施の形態の音設定処理動作のフローチャートにおけるステップＳ1〜Ｓ5と同様にして、指が近付けられている項目(アラーム音)がフォーカス遷移されて表示領域の表示色が変更され、指がｔ1秒間だけその状態を維持している場合には当該項目のアラーム音がプレビュー再生される。
【００４６】
ステップＳ26で、上記タッチパネル１上における当該項目の表示領域に近付けられた指が、当該項目の表示領域から離れたか否かが判別される。その結果、離れた場合にはステップＳ31に進み、離れていない場合にはステップＳ27に進む。ステップＳ27で、位置入力デバイス６からの検出信号に基づいて、使用者の指で当該項目がタッチ操作されたか否かが判別される。その結果、タッチ操作された場合にはステップＳ33に進み、そうでなければステップＳ28に進む。
【００４７】
ステップＳ28で、指と位置入力デバイス６との距離が上記複数の閾値の何れかを越えているか否かが判別される。その結果、越えている場合にはステップＳ29に進む一方、越えていない場合にはステップＳ26にリターンする。ステップＳ29で、指と位置入力デバイス６との距離が、予め設定されたｔ2秒間だけ維持されているか否かが判別される。その結果、ｔ2秒間同じ距離が維持されている場合にはステップＳ30に進み、そうでなければ上記ステップＳ26にリターンする。
【００４８】
ステップＳ30で、上記音出力部３が制御されて、指と位置入力デバイス６との距離が越えている閾値のうちの最大の閾値に応じて、プレビュー再生の音量が変更される。そうした後、上記ステップＳ26にリターンする。
【００４９】
ステップＳ31で、上記ステップＳ25において開始された当該項目のアラーム音のプレビュー再生が停止される。ステップＳ32で、当該項目のフォーカスが解消されると共に、当該項目の表示領域の表示色が元に戻されて、フォーカスが非表示状態となる。そうした後に、上記ステップＳ21にリターンして使用者の指が近付くのを待つ。
【００５０】
ステップＳ33で、上記ステップＳ25において開始された当該項目のアラーム音のプレビュー再生が停止される。ステップＳ34で、プレビュー再生が停止された当該項目のアラーム音が、所望のアラーム音として決定される。そうした後に、音設定処理動作が終了される。
【００５１】
ここで、上記音設定処理動作では、上記ステップＳ21において操作者の指がアラーム音の項目に近付けられたことを判別するための第１の閾値と、上記ステップＳ30においてプレビュー再生の音量を指示するための第２の閾値(複数存在)との、２種の閾値を用いている。この場合、上記第１の閾値として上記第２の閾値の何れかを用いてもよいし、上記第２の閾値とは別に設定してもよい。
【００５２】
以下、具体例を上げて、上記音設定処理動作を更に詳細に説明する。
【００５３】
図７〜図９は、上記タッチパネル１における表示デバイス５上に表示されたアラーム音の一覧に対する操作者の具体的な操作例を示す。以下、図６および図７〜図９に従って、上記音設定処理動作を具体的に説明する。
【００５４】
図７(a)に示すように、上記タッチパネル１の表示デバイス５には、「アラーム音１」〜「アラーム音３」のごとく、アラーム音の一覧が表示されている。その状態において、図７(b)に示すように、操作者が「アラーム音１」の表示領域に指を近付ける。そうすると、図６に示す音設定処理動作のステップＳ21〜Ｓ25により、「アラーム音１」の表示領域に指を近付けたことが検知され、「アラーム音１」がフォーカス遷移され、表示領域の表示色が変更される。
【００５５】
さらに、図７(c)に示すように、操作者が指を平行移動させて「アラーム音２」の表示領域に位置させると、図６に示す音設定処理動作のステップＳ26,Ｓ31,Ｓ32,Ｓ21,Ｓ22によって、「アラーム音２」の表示領域に指が位置することが検知され、「アラーム音２」がフォーカス遷移されて、表示領域の表示色が変更される。そして、指の位置をそのままｔ1秒間維持すると「アラーム音２」のアラーム音がプレビュー再生される。
【００５６】
ここで、上記第１実施の形態の場合と同様に、図７(b)および図７(c)等に描かれている「指を立てている手」の図は、指を画面に近付ける操作を示すための説明図であり、実際に表示デバイス５の表示画面に表示されるものではない。
【００５７】
図７(c)に示す状態で、図７(d)に示すように、操作者が「アラーム音２」の表示領域から指を離すと、図６に示す音設定処理動作のステップＳ26,Ｓ31,Ｓ32によって、「アラーム音２」のプレビュー再生が停止され、「アラーム音２」のフォーカスが解消され、表示領域の表示色が元に戻される。
【００５８】
また、図８(a)に示すように、操作者が「アラーム音１」の表示領域に指を近付けてアラーム音がプレビュー再生されている状態で、図８(b)に示すように、指を、位置入力デバイス６の表面に更に近付ける。そして、指と位置入力デバイス６との距離をｔ2秒間以上維持する。そうすると、図６に示す音設定処理動作のステップＳ28〜Ｓ30によって、図８(c)に示すように、近付けられた指と位置入力デバイス６との距離に応じて、プレビュー再生の音量が上げられる。
【００５９】
また、図８(a)に示す状態で、図８(d)に示すように、指を、上記位置入力デバイス６の表面から遠ざける。そして、指と位置入力デバイス６との距離をｔ2秒間以上維持する。そうすると、図８(e)に示すように、遠ざけられた指と位置入力デバイス６との距離に応じて、プレビュー再生の音量が下げられる。
【００６０】
ここで、図８(a)〜図８(e)に描かれている「指を立てている手」の図は、指を画面に近付ける操作を示し、且つ図の大きさで指と位置入力デバイス６との距離を示すための説明図であり、実際に表示デバイス５の表示画面に表示されるものではない。
【００６１】
図９(a)に示すように、操作者が指を「アラーム音３」の表示領域に近付けて「アラーム音３」のアラーム音をプレビュー再生させている状態で、「アラーム音３」の表示領域をタッチする。そうすると、図６に示す音設定処理動作のステップＳ26,Ｓ27,Ｓ33,Ｓ34により、「アラーム音３」のプレビュー再生が停止される。そして、図９(b)に破線で示すように、「アラーム音３」が所望のアラーム音として決定されたことが、他の条件項目と共に表示される。
【００６２】
以上のごとく、本実施の形態においては、上記制御部４は、タッチパネル１の表示デバイス５に表示されているアラーム音の一覧の何れかの項目の表示領域に、操作者が指を近付けてｔ1秒以上維持させると、当該項目のアラーム音をプレビュー再生する。そして、その状態で、指と位置入力デバイス６との距離を変更し、変更後の位置で指をｔ2秒以上維持させると、指と位置入力デバイス６との距離が越えている閾値のうちの最大の閾値に応じて、プレビュー再生の音量を変更するようにしている。
【００６３】
したがって、上記プレビュー再生音の音量を変更する際に、タッチパネル１に対してタッチする必要がなく、プレビュー再生音の音量を変更する場合の操作を簡素化することができる。
【００６４】
また、上記プレビュー再生が行われている項目がタッチされて所望のアラーム音として決定する際に、その時点でのプレビュー再生音の音量をアラーム音再生時の音量として決定するようにすれば、予めアラーム音再生時の音量を予め体感することが可能になる。
【００６５】
上述のごとく、この発明の携帯情報端末装置は、
少なくとも、出力可能な音の一覧を表示する表示デバイス５と、
表面に対する物体によるタッチおよび近接を検出してタッチ位置と近接位置とを区別して表す検出信号を出力すると共に、上記表示デバイス５上に積層されて上記表示デバイス５と共に表示機能と入力機能とを有するタッチパネル１を構成する透明な位置入力デバイス６と、
着信音およびアラーム音を含む音を出力する音出力部３と、
上記音の音響データを記憶する記憶部２と、
上記表示デバイス５に上記一覧を表示させると共に、上記位置入力デバイス６からの上記検出信号に基づいて、上記一覧における指示項目を特定してフォーカス遷移およびプレビュー再生を行う制御部４と
を備え、
上記制御部４は、
上記一覧の項目のうちの何れかの項目の表示領域に対して上記物体が予め定められた設定距離以内に近接したことを表す検出信号を受けた場合には、当該項目を上記指示項目としてフォーカス遷移すると共に、上記表示デバイス５を制御して、当該項目の表示領域の表示形態を変更してフォーカス表示を行い、
さらに、上記当該項目の表示領域に対して上記物体を上記設定距離以内に近接させた状態を、予め定められた設定時間以上維持していることを表す検出信号を受けた場合には、上記記憶部２に記憶された音響データに基づいて、上記音出力部３を制御して当該項目の音のプレビュー再生を行う
ようになっている
ことを特徴としている。
【００６６】
上記構成によれば、上記記憶部２に記憶された音をプレビュー再生させる毎に、タッチパネル１に対してタッチする必要がなく、音を選択(確認)する毎にタップする必要がある上記従来の着信音の変更方法に比べて、音を選択してプレビュー再生する場合の操作を簡素化することができる。
【００６７】
さらに、上記音のプレビュー再生を停止する場合においても、上記従来の着信音の変更方法においてはタップ操作を行なっているが、この発明においては指やペンでなる上記物体をタッチパネル１の表面から離すだけでよく、上記物体の移動量を少なくすることができる。
【００６８】
また、一実施の形態の携帯情報端末装置では、
上記制御部４は、上記フォーカス表示または上記プレビュー再生を行っている場合に、上記物体を上記当該項目の表示領域との距離を維持した状態で上記一覧上を他の項目の表示領域まで平行移動させたことを表す検出信号を受けた場合には、上記当該項目に関する上記プレビュー再生の停止あるいは上記フォーカス表示の非表示を行い、且つ上記他の項目に関するフォーカス遷移およびフォーカス表示を行うようになっている。
【００６９】
この実施の形態によれば、上記フォーカス表示または上記プレビュー再生を行っている場合に、上記物体を他の項目の表示領域まで平行移動させるだけで、上記他の項目に関するフォーカス遷移およびフォーカス表示を行うことができる。したがって、選択する音を切り替える毎にタッチパネル１に対してタッチする必要がなく、音を切り替え選択する場合の操作を、さらに簡素化することができる。
【００７０】
また、一実施の形態の携帯情報端末装置では、
上記制御部４は、上記他の項目の表示領域に対して上記物体を上記設定距離以内に近接させた状態が上記設定時間以上維持されていることを表す検出信号を受けた場合には、上記他の項目の音のプレビュー再生を行うようになっている。
【００７１】
この実施の形態によれば、プレビュー再生する音を切り替える毎にタッチパネル１に対してタッチする必要がなく、プレビュー再生する音を切り替える場合の操作を、さらに簡素化することができる。
【００７２】
また、一実施の形態の携帯情報端末装置では、
上記制御部４は、上記プレビュー再生を行っている場合に、上記物体と上記位置入力デバイス６との距離が変化されたことを表す検出信号を受けた場合には、上記音出力部３を制御して、上記変化された後の上記物体と上記位置入力デバイス６との距離に応じて、上記プレビュー再生の音量を変更するようになっている。
【００７３】
この実施の形態によれば、上記プレビュー再生の音量を変更できるので、環境音の大小に応じて上記プレビュー再生の音量を最適に設定して、選択音の確認を行うことが可能になる。
【００７４】
その際に、タッチパネル１に対してタッチする必要がなく、プレビュー再生音の音量を変更する場合の操作を簡素化することができる。
【００７５】
また、一実施の形態の携帯情報端末装置では、
上記制御部４は、上記プレビュー再生を行っている場合に、上記一覧における上記プレビュー再生が行われている音の項目の表示領域に対して上記物体がタッチしたことを表す検出信号を受けた場合には、上記プレビュー再生が行われている音を所望の音として決定するようになっている。
【００７６】
この実施の形態によれば、上記表示デバイス５に表示されている音の一覧から所望の音を決定する場合にのみタッチパネル１に対してタッチすればよく、音を選択して決定する場合の操作を簡素化することができる。
【符号の説明】
【００７７】
１…タッチパネル、
２…記憶部、
３…音出力部、
４…制御部、
５…表示デバイス、
６…位置入力デバイス、
７…音設定アプリケーション記憶部。
【図１】
2015014920.tif 000003
【図２】
2015014920.tif 000004
【図３】
2015014920.tif 000005
【図４】
2015014920.tif 000006
【図５】
2015014920.tif 000007
【図６】
2015014920.tif 000008
【図７】
2015014920.tif 000009
【図８】
2015014920.tif 000010
【図９】
2015014920.tif 000011